(57)【要約】【課題】      布地からなる丸紐で、適度な硬さと柔らかさを有しており、肌に直接当たるような衣類の箇所に用いたとしても違和感が生じないような丸紐を提供する。【解決手段】  中空の外被Ｇを構成するテープＴと外被Ｇの内部に挿入されている芯材Ｃとからなる丸紐Ｌであり、前記テープはバイヤステープまたはちりめん生地からなるテープであり、前記テープの長手方向の両側縁が本縫いで縫い合わされており、前記芯材が複数本の紡績糸を丸い細紐として編んだものからなることを特徴とする芯入り丸紐。【選択図】    図２
0003127076.tif 000002
【実用新案登録請求の範囲】
【請求項１】
中空の外被を構成するテープと外被の内部に挿入されている芯材とからなる丸紐であり、前記テープはバイヤステープまたはちりめん生地からなるテープであり、前記テープの長手方向の両側縁が本縫いで縫い合わされており、前記芯材が毛糸または紡績糸であることを特徴とする芯入り丸紐。
【請求項２】
中空の外被を構成するテープと外被の内部に挿入されている芯材とからなる丸紐であり、前記テープはバイヤステープまたはちりめん生地からなるテープであり、前記テープの長手方向の両側縁が本縫いで縫い合わされており、前記芯材が複数本の紡績糸を丸い細紐として編んだものからなることを特徴とする芯入り丸紐。
【請求項３】
前記紡績糸が綿糸であることを特徴とする請求項１または請求項２記載の芯入り丸紐。
【請求項４】
中空の外被を構成するテープと外被の内部に挿入されている芯材とからなる丸紐であり、前記テープはバイヤステープまたはちりめん生地からなるテープであり、前記テープの長手方向の両側縁が本縫いで縫い合わされており、芯材が複数本の毛糸からなり、前記複数本の毛糸は撚らずに引揃えた状態で挿入されていることを特徴とする芯入り丸紐。
【考案の詳細な説明】
【技術分野】
【０００１】
本考案は主として衣料用に使用するための丸紐に関するものである。衣料品、例えば肌に直接当たるキャミドレ（キャミソールドレス）やホルターネックのストラップにフェミニンなアイテムとして使用されるループコードとして或いはブラウスの釦留め等に使用するための丸紐に関するものである。
【背景技術】
【０００２】
従来、衣服、例えばキャミドレなどの肩紐に使われる紐は偏平な紐が多く、例えば、特許文献１（特開平７−２２９００１号公報）に開示されているようにゴム紐やスパンデックスからなるテープを中芯として使用し、外被を布地としたものなどが知られている。また、このような平紐は幅が太いためにあまりフェミニンな感じを出すことができなかった。また、中芯としてゴムなどが入っていると太く硬いため肌に直接当たるような肩紐の場合は違和感があった。
【０００３】
一方、丸紐は従来は製紐機によって編成されているものであり、このような丸紐は共布地ではなく、また編んだ紐であるため、衣服の生地と全く異なっているものであり、外観上違和感を与えるものであった。
【０００４】
布地で丸紐を作るものとしては、例えば、特許文献２（実公平７−１８３７８号公報）に開示されているように、丸紐縫製用ミシンによって丸紐を作ることも提案されている。この特許文献２に開示されているものでは、テープ状紐の両辺縁部を本縫いにより縫合わすことにより丸紐を製造する。この丸紐は芯が入っておらず、布地だけで構成されているので、肩紐などに使用するとダレてしまう（伸びた感じで、ダラリとして、しまりがなくなる）という問題がある。
【特許文献１】特開平７−２２９００１号公報
【特許文献２】実公平７−１８３７８号公報
【考案の開示】
【考案が解決しようとする課題】
【０００５】
本考案の目的は、布地からなる丸紐で、適度な硬さと柔らかさを有しており、肌に直接当たるような衣類の箇所に用いたとしても違和感が生じないような丸紐を提供することである。
【０００６】
また、本考案は芯入りの細い（好ましくは直径が３ｍｍ以下）、布地からなる丸紐を提供することを目的の１つとするものである。
【０００７】
また、本考案はちりめん（縮緬）生地のように柔らかな生地でも、丸紐として利用できるように、適度の腰や張りをもたせることを特徴とするを１つの目的とする。
【課題を解決するための手段】
【０００８】
本考案によれば、中空の外被を構成するテープと外被の内部に挿入されている芯材とからなる丸紐であり、前記テープはバイヤステープまたはちりめん生地からなるテープであり、前記テープの長手方向の両側縁が本縫いで縫い合わされており、前記芯材が毛糸または紡績糸であることを特徴とする芯入り丸紐により前記目的を達成する。
【０００９】
この場合、前記芯材が複数本の紡績糸を丸い細紐として編んだものとすることが好ましい。特に、前記紡績糸が綿糸であると柔らかな芯入り丸紐となる。
【００１０】
また、前記芯材が複数本の毛糸からなり、前記複数本の毛糸は撚らずに引揃えた状態で挿入されていることも好ましい。
【考案の効果】
【００１１】
本考案によれば、外被をバイヤス状またはちりめん状の布地からなるテープを使用するので、衣料品における共布地を利用することが可能である。
【００１２】
また本考案においては、芯材を入れているのでダレてしまったりせず、またその芯材も毛糸や紡績糸であるので、適度の腰があり且つ柔らかな芯入り丸紐とすることができる。
【００１３】
本考案において芯材として複数本の毛糸を使用する場合は、複数本の毛糸を撚合わせたりすると硬くなるが、本考案では単に引揃えた状態としているので硬くならず、丸紐が肌に当たっても違和感が生じない。
【００１４】
また、芯材に紡績糸を使った場合、紡績糸自体をそのまま撚ったり引揃えて入れたりすると硬い感じとなってしまうことがあるが、このような場合は本考案によれば、製紐機により紡績糸を丸い細い紐に組んで、この組紐を芯材として使用する。丸い組紐は中心が空であるので柔らかさがあるので、このような芯材を使用した本考案の芯入り丸紐は適度な柔らかさもあり、肌に当たる箇所に使用しても違和感が生じない。特に、紡績糸として綿糸を使用すると、綿糸自体が柔軟であるので、柔らかく且つ適度の腰のある芯入り丸紐となる。
【００１５】
また本考案の芯入り丸紐は３ｍｍ以下の極細の芯入り丸紐とすることができるので、釦留めのループなどにも使用するのにも適している。
【考案を実施するための最良の形態】
【００１６】
以下、図面に示した本考案の実施例に基いて、本考案を詳細に説明する。
【００１７】
図１は本考案の芯入り丸紐の断面斜視図を示したものである。本考案の芯入り丸紐は中空の外被Ｇを構成するテープＴとその外被Ｇの中に挿入される芯材Ｃとからなる芯入り丸紐Ｌである。
【００１８】
テープＴの長手方向の両側縁は本縫いミシンにより本縫いＳで縫合わされて、中空の外被Ｇを構成する。本考案の芯入り丸紐Ｌにおいては縫代部分Ｓ１、Ｓ１は片側に倒されている。なお、本縫いＳではなく、オーバーロックミシンなどによって、テープＴの両側縁を縫合せた場合は縫代部分全体が千鳥状に縫合わされるため、縫代部分が硬くなってしまうが、本考案では本縫いであるため、縫代部分Ｓ１、Ｓ１が硬くなることがない。
【００１９】
本考案で使用するテープＴは衣服の布地と共布を使用して、その布地をバイヤス状に裁断し繋ぎ合わせて使用してもよいし、或いは共布でなくてもよい場合は普通のバイヤステープを利用してもよい。また、ちりめん生地を使用する場合は、ちりめん生地自体に伸縮性が多少あるので、バイヤスに裁たずに、そのまま経糸方向または緯糸方向にテープ状に裁断して使用してもよい。
【００２０】
外被ＧとなるテープＴの幅は、所望とする芯入り丸紐Ｌの直径に円周率π（３．１４）を掛けて、縫代部分Ｓ１の幅の２倍を足したものである（なお、厳密にはテープの厚みなどを考慮するのでこの値よりやや広めとなる）。本考案の芯入り丸紐は、太いものでもよいが特に細いものがフェミニンな感じが得られるので、直径が５ｍｍ以下、好ましくは３ｍｍ以下になるようなものとすることが好ましい。
【００２１】
なお、衣服ではなく他の小物、例えば袋物等、に本考案の芯入り丸紐を使用する場合はもっと太めなものでもよい。
【００２２】
本考案における芯材Ｃとしては柔軟なものがよく、従来使用されているようなゴムやスパンデックスなどは使用しない。柔らかな感触を与えるために、芯材Ｃとして中に入れるものは毛糸や丸く編んだ組紐を使用することが好ましい。毛糸の場合１本でもよいが、太さが足りない場合は２本以上まとめて挿入してもよい。この場合、毛糸を撚合わせると硬さが出てしまうので撚合わせない方が好ましい。
【００２３】
芯材として紡績糸を使用する場合は天然繊維からなるものでも、合成繊維からなるものでもよい。綿糸はそのもの自体が柔軟であるので好ましい。特に複数本の紡績糸を使用する場合は、製紐機により紡績糸を丸い細紐に編んだ組紐としてから使用することが好ましい。丸い組紐は中心が空であり柔らかさがあるので、複数本の紡績糸を引き揃えたり、撚合わせたりしたものを芯材としたものよりも、柔軟な感触の芯入り丸紐を得ることができる。
【００２４】
以下に、本考案の芯入り丸紐を自動的に製造する方法を図面を参照して説明する。図２は本考案の芯入り丸紐を製造するためのミシンの要部斜視図を示している。このミシンは一般的に使用されている本縫い用ミシンを利用したものであり、ミシンベッド２、針棒４、針６、すべり板８などは、通常の本縫いミシンと同様である。通常の本縫いミシンと異なる点は、送り歯及び押え金が不要である点、針板１０の上面に丸紐形成具１２が取り付けられている点、およびミシンの手前側に丸紐引取りローラ４０、４１、４２を設置している点である。
【００２５】
丸紐形成具１２は特許文献２（実公平７−１８３７８号公報）に開示されているものと同様のものであり、図３にその斜視図を示した。丸紐形成具１２は丸紐形成管１４を取付け板１６に一体的に固着したものである。取付け板１６には取付け孔１８が設けられ、これに固定ねじ２０を挿通して、針板１０のねじ穴に螺着することにより、丸紐形成具１２が針板１０に取付けられる（図２参照）。
【００２６】
丸紐形成管１４は、平面板２２に、それを上下方向から挾むように外筒２４を固着するとともに、外筒２４の内方側端辺部に内筒２６を固着して形成されている。平面板２２および外筒２４にはそれぞれ、丸紐形成具１２を針板１０に固定したときに、針６の直下に位置する個所に針貫通孔３０が形成されている。
【００２７】
内筒２６の後端の挿入口３２は、針落ち位置（すなわち、外筒２４の針貫通孔３０の位置）より後方側に位置している。また、内筒２６は、その後端部分は円筒状をなしているが、中間から前端にかけて筒面が半円状２６′に切除されている。
【００２８】
丸紐引取りローラ４０、４１、４２はミシンの手前側に設置され、ミシンの駆動装置からベルトを介して駆動される。ローラ４０がテープＴに接触してテープＴを積極的に送るとともに、丸紐形成具１２から出てくる芯入り丸紐をローラ４１とローラ４２により一定の速度で引き取る。
【００２９】
前述した丸紐製造用ミシンにより本考案の芯入り丸紐を製造するには次のようにすればよい。先ず、丸紐形成具１２を針板１０から取り外した状態で、丸紐形成具１２にテープＴをセットする。すなわち、テープＴを長さ方向に沿って二つ折りにし、丸紐形成具１２の、外筒２４の内面と内筒２６の外面とによって形成された通路３４にテープＴの両側縁が通路３４内の平面板２２の部分を上下から挟んで内筒２６を囲むようにして通した後、テープＴの先端を反転させて内筒２６の挿入口３２へ挿入する。そして、テープＴを内筒２６の内部を通して先端の繰出し口３６よりテープ状紐の先端部分を引出す。このようにしてテープＴをセットした丸紐形成具１２を、外筒２４の針貫通孔３０が針６の直下に位置するように位置決めして針板１０に取り付ける。
【００３０】
このように準備した後、テープＴの先端部分を手前に引っ張ってローラ４１、４２の間を通し、テープＴの後続の部分をローラ４０の上に案内する。一方、芯材Ｃを側に用意しておく。そして、針６に縫い糸（図示せず）を通して、ミシンを駆動すると、針６が上下動し、一方、丸紐引取りローラ４０、４１、４２が回転して、テープＴをミシンに向かって送り出すと共に、丸紐形成具１２から引き出す。針６が上下動する際、針６が針貫通孔３０に落ちて、そこを通過するテープＴの両側縁を本縫いＳのミシン目で縫い合せる。縫われたテープＴは丸紐Ｌの外被Ｇとなるが、この状態ではまだ縫代部分Ｓ１、Ｓ１が外側に現れている。そして、この外被Ｇは表と裏とを引っ繰り返した状態（縫代部分Ｓ１、Ｓ１が内側になった状態）で内筒２６の挿入口３２から内筒２６内に導かれ、そして真っ直ぐに丸紐引取りローラ４１、４２へと走行する。
【００３１】
この状態で、図４（ａ）に示すように、芯材Ｃを内筒２６の挿入口３２に近付けて、走行する外被Ｇに接触させると、摩擦力により芯材Ｃは外被Ｇ内に吸込まれて、図４（ｂ）に示すように外被Ｇと共に引取りローラ４１、４２に向かって走行する。芯材Ｃが一旦、丸紐引取りローラ４１、４２に挟持されれば、その後は摩擦力だけではなく、丸紐引取りローラ４１、４２によりミシンの駆動と連動した一定速度で引張られるので、安定して連続走行する。このようにして芯入り丸紐Ｌが連続的に形成される。
【００３２】
また、このように丸紐引取りローラ４０、４１、４２がミシンの手前側に設置されて、丸紐形成具１２から出てくる丸紐を真っ直ぐに積極的に連続して一定速度で引取るようにしたので、直径が小さい細い丸紐（外被Ｇ）にも毛糸や紡績糸のような柔らかな芯材Ｃを挿入することができる。
【００３３】
なお、特許文献１に開示されているようにミシンベッド上に案内ロール（積極回転しない）と送り歯を設置したものでは、丸紐（外被Ｇに相当）の走行経路が曲りくねっていることおよび送り歯により間欠的に丸紐を送るため、本考案のように芯材を上手く挿入することが困難である。
【図面の簡単な説明】
【００３４】
【図１】本考案の芯入り丸紐の断面斜視図である。
【図２】本考案の芯入り丸紐を製造するためのミシンの要部斜視図である。
【図３】丸紐形成具の斜視図である。
【図４】芯材を丸紐形成具に挿入する状態を示す断面図であり、（ａ）は挿入の直前を示し、（ｂ）は挿入後の状態を示している。
【符号の説明】
【００３５】
Ｃ  芯材
Ｇ  外被
Ｌ  芯入り丸紐
Ｓ  本縫い
Ｓ１  縫代部分
Ｔ  テープ
１２  丸紐形成具
４０、４１、４２  丸紐引取りローラ
【図１】
0003127076.tif 000003
【図２】
0003127076.tif 000004
【図３】
0003127076.tif 000005
【図４】
0003127076.tif 000006